【手続補正書】
【提出日】平成19年7月9日(2007.7.9)
【手続補正１】
【補正対象書類名】明細書
【補正対象項目名】特許請求の範囲
【補正方法】変更
【補正の内容】
【特許請求の範囲】
【請求項１】  デジタルコンテンツと、前記デジタルコンテンツに関連するメタ情報とを取り扱うデジタルコンテンツ処理装置であって、
前記デジタルコンテンツを、デジタルコンテンツを取り扱う第１の情報処理装置より受信し、暗号化された前記メタ情報を、メタ情報を取り扱う第２の情報処理装置より受信する受信手段と、
鍵を用いて、前記受信されたメタ情報を復号する復号手段と、
前記鍵の鍵信頼度リストを保持する保持手段と、
前記復号手段の復号結果と前記復号に用いた鍵の鍵信頼度リストに基づいて、前記デジタルコンテンツの再生または編集のレベルを決定する決定手段と、
前記決定手段により決定されたレベルに応じて、前記デジタルコンテンツの再生または編集を制御する制御手段とを有することを特徴とするデジタルコンテンツ処理装置。
【請求項２】  デジタルコンテンツと、前記デジタルコンテンツに関連するメタ情報とを取り扱うデジタルコンテンツ処理装置であって、
前記デジタルコンテンツを、デジタルコンテンツを取り扱う第１の情報処理装置より受信し、暗号化された前記メタ情報を、メタ情報を取り扱う第２の情報処理装置より受信する受信手段と、
鍵を用いて、前記受信されたメタ情報の署名の検証を行う署名検証手段と、
前記鍵の証明書を保持する保持手段と、
前記署名の検証結果と前記メタ情報の署名の検証に用いた鍵の証明書に基づいて、前記デジタルコンテンツの再生または編集のレベルを決定する決定手段と、
前記決定手段により決定されたレベルに応じて、前記デジタルコンテンツの再生または編集を制御する制御手段とを有することを特徴とするデジタルコンテンツ処理装置。
【請求項３】  デジタルコンテンツと、前記デジタルコンテンツに関連するメタ情報とを取り扱うデジタルコンテンツ処理方法であって、
前記デジタルコンテンツを、デジタルコンテンツを取り扱う第１の情報処理装置より受信し、暗号化された前記メタ情報を、メタ情報を取り扱う第２の情報処理装置より受信する受信工程と、
鍵を用いて、前記受信されたメタ情報を復号する復号工程と、
前記鍵の鍵信頼度リストを保持する保持工程と、
前記復号工程の復号結果と前記復号に用いた鍵の鍵信頼度リストに基づいて、前記デジタルコンテンツの再生または編集のレベルを決定する決定工程と、
前記決定工程において決定されたレベルに応じて、前記デジタルコンテンツの再生または編集を制御する制御工程とを有することを特徴とするデジタルコンテンツ処理方法。
【請求項４】  デジタルコンテンツと、前記デジタルコンテンツに関連するメタ情報とを取り扱うデジタルコンテンツ処理方法であって、
前記デジタルコンテンツを、デジタルコンテンツを取り扱う第１の情報処理装置より受信し、暗号化された前記メタ情報を、メタ情報を取り扱う第２の情報処理装置より受信する受信工程と、
鍵を用いて、前記受信されたメタ情報の署名の検証を行う署名検証工程と、
前記鍵の証明書を保持する保持工程と、
前記署名の検証結果と前記メタ情報の署名の検証に用いた鍵の証明書に基づいて、前記デジタルコンテンツの再生または編集のレベルを決定する決定工程と、
前記決定工程において決定されたレベルに応じて、前記デジタルコンテンツの再生または編集を制御する制御工程とを有することを特徴とするデジタルコンテンツ処理方法。
【請求項５】  請求項１または２に記載のデジタルコンテンツ処理装置の各手段としてコンピュータを機能させることを特徴とするコンピュータプログラム。
【請求項６】  請求項５に記載のコンピュータプログラムを記録したことを特徴とするコンピュータ読み取り可能な記録媒体。
【手続補正２】
【補正対象書類名】明細書
【補正対象項目名】００１６
【補正方法】変更
【補正の内容】
【００１６】
【課題を解決するための手段】
本発明のデジタルコンテンツ処理装置は、デジタルコンテンツと、前記デジタルコンテンツに関連するメタ情報とを取り扱うデジタルコンテンツ処理装置であって、前記デジタルコンテンツを、デジタルコンテンツを取り扱う第１の情報処理装置より受信し、暗号化された前記メタ情報を、メタ情報を取り扱う第２の情報処理装置より受信する受信手段と、鍵を用いて、前記受信されたメタ情報を復号する復号手段と、前記鍵の鍵信頼度リストを保持する保持手段と、前記復号手段の復号結果と前記復号に用いた鍵の鍵信頼度リストに基づいて、前記デジタルコンテンツの再生または編集のレベルを決定する決定手段と、前記決定手段により決定されたレベルに応じて、前記デジタルコンテンツの再生または編集を制御する制御手段とを有することを特徴とする。
また、本発明のデジタルコンテンツ処理装置の他の特徴とするところは、デジタルコンテンツと、前記デジタルコンテンツに関連するメタ情報とを取り扱うデジタルコンテンツ処理装置であって、前記デジタルコンテンツを、デジタルコンテンツを取り扱う第１の情報処理装置より受信し、暗号化された前記メタ情報を、メタ情報を取り扱う第２の情報処理装置より受信する受信手段と、鍵を用いて、前記受信されたメタ情報の署名の検証を行う署名検証手段と、前記鍵の証明書を保持する保持手段と、前記署名の検証結果と前記メタ情報の署名の検証に用いた鍵の証明書に基づいて、前記デジタルコンテンツの再生または編集のレベルを決定する決定手段と、前記決定手段により決定されたレベルに応じて、前記デジタルコンテンツの再生または編集を制御する制御手段とを有することを特徴とする。
【手続補正３】
【補正対象書類名】明細書
【補正対象項目名】００１７
【補正方法】変更
【補正の内容】
【００１７】
本発明のデジタルコンテンツ処理方法は、デジタルコンテンツと、前記デジタルコンテンツに関連するメタ情報とを取り扱うデジタルコンテンツ処理方法であって、前記デジタルコンテンツを、デジタルコンテンツを取り扱う第１の情報処理装置より受信し、暗号化された前記メタ情報を、メタ情報を取り扱う第２の情報処理装置より受信する受信工程と、鍵を用いて、前記受信されたメタ情報を復号する復号工程と、前記鍵の鍵信頼度リストを保持する保持工程と、前記復号工程の復号結果と前記復号に用いた鍵の鍵信頼度リストに基づいて、前記デジタルコンテンツの再生または編集のレベルを決定する決定工程と、前記決定工程において決定されたレベルに応じて、前記デジタルコンテンツの再生または編集を制御する制御工程とを有することを特徴とする。
また、本発明のデジタルコンテンツ処理方法の他の特徴とするところは、デジタルコンテンツと、前記デジタルコンテンツに関連するメタ情報とを取り扱うデジタルコンテンツ処理方法であって、前記デジタルコンテンツを、デジタルコンテンツを取り扱う第１の情報処理装置より受信し、暗号化された前記メタ情報を、メタ情報を取り扱う第２の情報処理装置より受信する受信工程と、鍵を用いて、前記受信されたメタ情報の署名の検証を行う署名検証工程と、前記鍵の証明書を保持する保持工程と、前記署名の検証結果と前記メタ情報の署名の検証に用いた鍵の証明書に基づいて、前記デジタルコンテンツの再生または編集のレベルを決定する決定工程と、前記決定工程において決定されたレベルに応じて、前記デジタルコンテンツの再生または編集を制御する制御工程とを有することを特徴とする。
【手続補正４】
【補正対象書類名】明細書
【補正対象項目名】００１８
【補正方法】変更
【補正の内容】
【００１８】
本発明のコンピュータプログラムは、前記に記載のデジタルコンテンツ処理装置の各手段としてコンピュータを機能させることを特徴とする。